(57)【要約】【課題】ブレード塊をスピーディに回転して使用する電源コンセントに合わせる多種ブレード合体の電源プラグ構造を提供する。【解決手段】多種ブレード合体の電源プラグ構造は、電源コード末端に連接するプラグ本体、及びプラグ本体を覆う保護フレームを含む。このプラグ本体は、枠、及び枠内に設置される少なくともひとつのブレード塊から構成される。その枠の両側腕内には各々受電点が埋設され、各ブレード塊上には少なくとも一組の導電ブレードが設置される。更に導電ブレードは、ブレード塊の外側面の導電点まで連接し、上述の受電点と電気連接する。またプラグ本体の適する位置にはアース部が設置され、この他、保護フレームはプラグ本体の状に対応して作られ、その適する位置には、ブレード及び設置ブレードを差し込む通孔が開設される。【選択図】図２
0003121171.tif 000002
【実用新案登録請求の範囲】
【請求項１】
電源コード末端に連接するプラグ本体と、プラグ本体を覆って対応する保護フレームから構成された多種ブレード合体の電源プラグ構造において、
プラグ本体は、枠と枠内に設置した少なくともひとつのブレード塊から構成され、枠の両側腕内にはそれぞれ電源コードと相互に連接する受電点が埋設され、各ブレード塊には少なくとも一組の導電ブレードが設置され、また導電ブレードは円柱状及び扁平状の二種があり、且つ各導電ブレードは一定角度に回転する回転塊上に偏心設置され、その回転塊はブレード塊が開設した回転孔内で可動設置され、この導電ブレードはブレード塊側面の外側に設置した導電点と相互に連接し、上述の受電点と電気連接し、且つプラグ本体の適する位置にアース部を設置するもので、
他に保護フレームはプラグ本体の状に対応して作られ、適する位置には導電ブレード及びアースブレードを差し込む通孔が設置されることを特徴とする多種ブレード合体の電源プラグ構造。
【請求項２】
請求項１記載の多種ブレード合体の電源プラグ構造において、前記プラグ本体は、Ｕ字型枠及びＵ字型枠両側腕の間に枢設されたブレード塊から構成され、そのＵ字型枠両側腕には各々枢設孔が設置され、枢設孔上方には電源コードと相互に連接した受電点が埋設され、また枢設孔の周囲にはアースリングが設置され、そのアースリングは、電源コード内部のアースコードと相互に連接するもので、Ｕ字型枠両側腕の外側の適する位置には保護フレームを固定する掛合部が設置され、枢設孔内に差し込むブレード塊の両相対側面上には、それぞれ一組の円柱状の導電ブレードと、一組の扁平状の導電ブレードが設置され、且つ上述の各導電ブレードは、一定角度で回転する回転塊上に偏心で設置され、更に回転塊をブレード塊が開設した回転孔内に可動設置し、その導電ブレードは、ブレード塊側面の外に設置した導電点と相互に連接し、上述のＵ字型枠内部に設置した受電店と電気連接し、この他、ブレード塊の適する位置には可動するアース部に凸設し、そのアース部は、プラグ本体の側面のアース点まで電気連接し、常にアースリングと相互に合わさり、両端が異なる型式を具えたアース部をブレード塊上に設置して、状が対応する滑動槽内に設置し、アースブレードは側面から見たときに、Ｚ字型を形成し、且つ一側面の適する位置には制御ボタンを設置し、アースブレードを制御することによって、伸ばして使用したり、収縮させて収納したりすることを特徴とする多種ブレード合体の電源プラグ構造。
【請求項３】
請求項１記載の多種ブレード合体の電源プラグ構造において、前記プラグ本体は、方形枠、方形枠に設置したアースブレード、及び二つの外向き回転するブレード塊から構成され、方形枠両側壁上には上述のブレード塊を差し込む枢設孔が設置され、その枢設孔付近の適する位置には電源コードと相互に連接する受電点が埋設され、且つ方形枠両側腕外側の適する位置には保護フレームを固定するための掛合部が設置され、この二つのブレード塊の一側面上にはそれぞれ一組の円柱状導電ブレードと、一組の扁平状導電ブレードが設置され、各導電ブレードは、一定角度に回転する回転塊上に偏心設置され、ブレード塊に開設した回転孔に可動設置され、この導電ブレードは、回転孔内部に設置してブレード塊側面に露出することもできる導電点に連接し、上述の方形枠内部に設置した受電点と電気連接することを特徴とする多種ブレード合体の電源プラグ構造。
【考案の詳細な説明】
【技術分野】
【０００１】
本考案は、多種ブレード合体の電源プラグ構造に関するもので、特に多種変換可能なブレード型式を具えた電源プラグ構造で、回転方式によって異なる規格のブレードに対応してスピーディに切り換え、電源コンセントから電気を得るものである。
【背景技術】
【０００２】
目下、世界各国で電源コンセントが使用されているが、各国異なる電圧と電流変化によって、分けられている。そのため、各自使用する電源コンセント及び電源コンセントの型式に合わせて対応しなければならない。一般に通用する電源コンセントは合わせて六種型あり、双扁孔型、三扁孔型、八字双孔型、八字三孔型、双丸孔型及び三丸孔型であり、且つ各国間同じ型式の電源コンセントは、すべて異なる電圧と電流である。
【０００３】
現在、電気製品の大部分は、単一型式の電源コンセントであり、同じ電圧と電流であるが、型式の異なる電源コンセントを使用したい時には、電源コンセントに対応する電源コンセントの接続転換器に接続して使用しなければならない。そのため、電気製品のメーカーやそれを使用する消費者は大変不便である。他に市場には、旅行用の多機能電源接続転換器が多々出ている。その設計のほとんどは組立式に属し、多種型式差込孔を具えたコンセント本体を使用して異なる型式のブレードを合わせ、元の電源コンセントもしくは電源プラグ快速転換を適用の型式にする。この方法は便利であるが、メーカーもしくは消費者にとっては、別の設計を製造したり、別のコストがかかったりするので不便である。
【考案の開示】
【考案が解決しようとする課題】
【０００４】
本考案の主な目的は、目下市場に出ている多種規格の電源コンセントに対応する電源プラグ構造を提供することで、便利なだけでなく、安全な多種ブレード合体の電源プラグ構造を提供することにある。
【０００５】
上述の目的のため、本考案の多種ブレード合体の電源プラグ構造は、電気コード末端に連接するプラグ本体、及びプラグ本体を覆う保護フレームを含む。このプラグ本体は、枠、及び枠内に設置される少なくともひとつのブレード塊から構成される。その枠の両側腕内には各々受電点が埋設され、各ブレード塊上には少なくとも一組の導電ブレードが設置される。また導電ブレードには円柱形上及び扁平状の二種あり、且つ各導電ブレードはひとつの定角度に回転する回転塊上に偏心設置し、続いて回転塊をブレード塊に開設した回転孔に可動設置し、その導電ブレードは、ブレード塊外側側面の導電点まで連接し、上述の受電点と電気連接する。更にブレード塊の適する位置にはアース部を設置し、そのアース部は、電気コードを設置して、プラグ本体の側面のアース点まで伸ばし、随時枠の枢設孔の周囲に設置したアースリングと相互に接し、その設置リングは、電源コード内部のアースコードと相互に連接する。アース部内部にはアースブレードを設置し、且つ一側面には制御ボタンを設置してアースブレードの伸縮形態を制御する。この他、保護フレームはプラグ本体の状に対応して作られ、その適する位置には、ブレード及び設置ブレードを差し込む通孔が開設され、その内面側壁の適する位置には枠の掛合部に対応する掛合孔が設置される。
【０００６】
上述の構造を使用する時、先ずブレード塊を回転して異なる状の導電ブレード（円柱状もしくは扁平状）を調整し、ブレード塊を使用したい一組の導電ブレードをプラグ本体外側に露出させる。同時にその導電ブレードの導電点は、枠両側の受電点と電気連接し、別側の導電ブレードは電気連接しない。更に導電ブレードを自転させて導電ブレードの型式及び幅を調整した後、最後に保護フレームで覆い、使用したい導電ブレードを外に出して残す。別組の導電ブレードは内部に覆われ、使用者が使用するときには接触することがないので、安全である。更に使用及び調整がスピーディであるため、商品競争力も具える。
【課題を解決するための手段】
【０００７】
請求項１の考案は、電源コード末端に連接するプラグ本体と、プラグ本体を覆って対応する保護フレームから構成された多種ブレード合体の電源プラグ構造において、
プラグ本体は、枠と枠に内に設置した少なくともひとつのブレード塊から構成され、枠の両側腕内にはそれぞれ電源コードと相互に連接する受電点が埋設され、各ブレード塊には少なくとも一組の導電ブレードが設置され、また導電ブレードは円柱状及び扁平状の二種があり、且つ各導電ブレードは一定角度に回転する回転塊上に偏心設置され、その回転塊はブレード塊が開設した回転孔内で可動設置され、この導電ブレードはブレード塊側面の外側に設置した導電点と相互に連接し、上述の受電点と電気連接し、且つプラグ本体の適する位置にアース部を設置するもので、
他に保護フレームはプラグ本体の状に対応して作られ、適する位置には導電ブレード及びアースブレードを差し込む通孔が設置されることを特徴とする多種ブレード合体の電源プラグ構造としている。
請求項２の考案は、請求項１記載の多種ブレード合体の電源プラグ構造において、前記プラグ本体は、Ｕ字型枠及びＵ字型枠両側腕の間に枢設されたブレード塊から構成され、そのＵ字型枠両側腕には各々枢設孔が設置され、枢設孔上方には電源コードと相互に連接した受電点が埋設され、また枢設孔の周囲にはアースリングが設置され、そのアースリングは、電源コード内部のアースコードと相互に連接するもので、Ｕ字型枠両側腕の外側の適する位置には保護フレームを固定する掛合部が設置され、枢設孔内に差し込むブレード塊の両相対側面上には、それぞれ一組の円柱状の導電ブレードと、一組の扁平状の導電ブレードが設置され、且つ上述の各導電ブレードは、一定角度で回転する回転塊上に偏心で設置され、更に回転塊をブレード塊が開設した回転孔内に可動設置し、その導電ブレードは、ブレード塊側面の外に設置した導電点と相互に連接し、上述のＵ字型枠内部に設置した受電店と電気連接し、この他、ブレード塊の適する位置には可動するアース部に凸設し、そのアース部は、プラグ本体の側面のアース点まで電気連接し、常にアースリングと相互に合わさり、両端が異なる型式を具えたアース部をブレード塊上に設置して、状が対応する滑動槽内に設置し、アースブレードは側面から見たときに、Ｚ字型を形成し、且つ一側面の適する位置には制御ボタンを設置し、アースブレードを制御することによって、伸ばして使用したり、収縮させて収納したりすることを特徴とする多種ブレード合体の電源プラグ構造としている。
請求項３の考案は、請求項１記載の多種ブレード合体の電源プラグ構造において、前記プラグ本体は、方形枠、方形枠に設置したアースブレード、及び二つの外向き回転するブレード塊から構成され、方形枠両側壁上には上述のブレード塊を差し込む枢設孔が設置され、その枢設孔付近の適する位置には電源コードと相互に連接する受電点が埋設され、且つ方形枠両側腕外側の適する位置には保護フレームを固定するための掛合部が設置され、この二つのブレード塊の一側面上にはそれぞれ一組の円柱状導電ブレードと、一組の扁平状導電ブレードが設置され、各導電ブレードは、一定角度に回転する回転塊上に偏心設置され、ブレード塊に開設した回転孔に可動設置され、この導電ブレードは、回転孔内部に設置してブレード塊側面に露出することもできる導電点に連接し、上述の方形枠内部に設置した受電点と電気連接することを特徴とする多種ブレード合体の電源プラグ構造としている。
【考案の効果】
【０００８】
本考案の多種ブレード合体の電源プラグ構造は、公知の単一型式ブレード、もしくは電源転換器構造の使用上の欠点を改善する。これは、プラグ本体枠状に枢設したブレード塊ひとつを使い、ブレード塊の両相対側面上に快速変換型式の導電ブレードを設置し、同時に可動式のアースブレードを設置する。ブレード塊が回転することによって、異なる型式の電源コンセントに対応する電源プラグに変換する。また保護フレームより覆わるため、美観がよいだけでなく、差し込んだ電源コンセントから電気を取り、使用者の感電を防止するという利点がある。
【考案を実施するための最良の形態】
【０００９】
図１，２，３，４に示すのは、本考案の多種ブレード合体の電源プラグ構造の第一実施例であり、電源コード２末端に連接したプラグ本体１０、及びプラグ本体１０を覆う保護フレーム２０を含む。そのうち、このプラグ本体１０は、Ｕ字型枠１１及びＵ字型枠１１両側支持腕の間に枢設するブレード塊１２から構成される。Ｕ字型枠１１両側腕は、各々枢設孔１１ａが設置され、その枢設孔１１ａ上方に電源コード２と相互に連接する受電点１１ｂが設置される。また枢設孔１１ａの周囲にはアースリング１１ｄが設置され、そのアースリング１１ｄは、電源コード２内部のアースコード２ａと相互に連接する。Ｕ字型枠１１両側支持腕の外側の適する位置には保護フレーム２０を固定する掛合部１１ｃが設置される。また枢設孔１１ａ内に枢設するブレード塊１２の両相対側面上には各々一組の円柱形の導電ブレード１２ａ及び一組の扁平状導電ブレード１２ａが設置され、且つ上述の各導電ブレード１２ａは、一定角度に回転する回転塊１２ｂ上に偏心設置し、続いてその回転塊１２ｂをブレード塊１２に開設した回転孔１２ｃ内に可動設置する。この導電ブレード１２ａは、ブレード塊１２側面に露出して設置した導電点１２ｄと相互に連接し、上述のＵ字型枠１１内部に設置した受電点１１ｂと電気連接する。この他、ブレード塊１２の適する位置には、可動するアース部１３が凸設され、そのアース部１３は、プラグ本体１０側面のアース点１２ｆまで受電電通し、常にアースリング１１ｄと相互に接続される。両端の異なる型式（円柱状及び扁平状）を具えたアースブレード１３ａをブレード塊１２上で対応した状の滑動槽１２ｅ内に設置する。このアースブレード１３ａは、側面から見ると、Ｚ字型で、且つ一側面の適する位置には制御ボタン１３ｂが設置され、この制御ボタンによってアースブレード１３ａを伸ばしたり、縮めて収納したりする。また保護フレーム２０はプラグ本体１０の状に対応し、適する位置には導電ブレード１２ａ及び設置ブレード１３ａを差し込む通孔２１が開設される。その内面側壁の適する位置にはＵ字型枠１１の掛合部１１ｃに対応する掛合孔２２が設置される。
【００１０】
図５，６，７，８に示すのは、本考案の導電ブレード調整時の使用指示図である。ブレード塊１２の両相対側面に位置する異なる型式の導電ブレード１２ａを使用する時、ブレード塊１２枢設箇所を支点として、正方向もしくは逆方向に回転させ、Ｕ字型枠１１の外側まで回転させる。この導電ブレード１２ａはブレード塊１２側壁面上の導電点１２ｄに於いて、それぞれＵ字型枠１１の受電点１１ｂと電気連接し、Ｕ字型枠１１内側まで回転した導電ブレード１２ａの導電点１２ｄは、受電点１１ｂから離れて電気連接しなくなる。また、使用したい導電ブレード１２ａは、Ｕ字型枠１１の外に出し、その同一側の二本の導電ブレード１２ａはすべてブレード塊１２に設置した回転孔１２ｃ内で可動設置し、扁平状の導電ブレード１２ａは、回転孔を中心として内向き３５度で八の字型に回転し、円柱形の導電ブレード１２ａが１８０度回転した後、別一種の幅広の電源コンセント型式と合わせ、且つ制御ボタン１３ｂでアースブレード１３ａの伸縮を随意調整し、二つ孔もしくは三つ孔型式のプラグ本体１０に合わせる。
【００１１】
図９，１０に示すのは、第二実施例の構造指示図であり、第一実施例と同じく電源コード２末端に連接したプラグ本体１０、及びプラグ本体１０を覆う保護フレーム２０を含む。但し、このプラグ本体１０は、方形枠１４、方形枠１４に設置するアースブレード１３ａ及び二つの外向き回転のブレード塊１２から構成される。方形枠１４両側壁上には上述のブレード塊１２を設置するための枢設孔１４ａが設置され、その枢設孔１４ａ付近の適する位置には、電源コード２と相互に連接する受電点１４ｂが埋設される。更に方形枠１４両側腕の外側の適する位置には、保護フレーム２０を固定するための掛合部１４ｃが設置され、またその二つのブレード塊１２の一側面上には各々一組の円柱状導電ブレード１２ａ及び一組の扁平状導電ブレード１２ａが設置される。その各導電ブレード１２ａは一定角度で回転する回転塊１２ｂ上に偏心設置され、ブレード塊１２に開設した回転孔１２ｃ内に可動設置する。この導電ブレード１２ａは、回転孔１２ｃ内部に設置してブレード塊１２側面に露出することもできる導電点１２ｄまで連接し、上述の方形枠１４内部に設置した受電点１４ｂと電気連接する。また保護フレーム２０はプラグ本体１０の状に対応し、適する位置には導電ブレード１２ａ及びアースブレード１３ａを差し込む通孔２１が開設される。その内面側壁面の適する位置にはＵ字型枠１１に対応する掛合孔２２が設置される。使用時、円柱状の導電ブレード１２ａもしくは扁平状の導電ブレード１２ａを外向きに回転させ、その電源ブレード１２ａを方形枠１４から外に出すと、電源コンセント内に差し込んで使用でき、アースが必要な時には、直接アースブレード１３ａを外向きに回して使用する。
【図面の簡単な説明】
【００１２】
【図１】本考案の第一実施例の立体分解図である。
【図２】本考案の第一実施例の立体組立図である。
【図３】本考案の第一実施例別角度からの立体図である。
【図４】図３の１３ａ箇所の断面を示す図である。
【図５】本考案の第一実施例のブレード調整時を示す図である。
【図６】本考案の第一実施例のブレード調整時の正面図（一）である。
【図７】本考案の第一実施例のブレード調整時の正面図（二）である。
【図８】本考案の第一実施例のアース断面を示す図である。
【図９】本考案の第二実施例の立体分解図である。
【図１０】本考案の第二実施例の使用時を示す図である。
【符号の説明】
【００１３】
１０        プラグ本体
１１        Ｕ字型枠
１１ａ      枢設孔
１１ｂ      受電点
１１ｃ      掛合部
１１ｄ      アースリング
１２        ブレード塊
１２ａ      導電ブレード
１２ｂ      回転塊
１２ｃ      回転孔
１２ｄ      導電点
１２ｅ      滑動槽
１２ｆ      アース点
１３        アース部
１３ａ      アースブレード
１３ｂ      制御ボタン
１４        方形枠
１４ａ      枢設孔
１４ｂ      受電点
１４ｃ      掛合部
２        電源コード
２ａ      アースコード
２０        保護フレーム
２１        通孔
２２        掛合孔
【図１】
0003121171.tif 000003
【図２】
0003121171.tif 000004
【図３】
0003121171.tif 000005
【図４】
0003121171.tif 000006
【図５】
0003121171.tif 000007
【図６】
0003121171.tif 000008
【図７】
0003121171.tif 000009
【図８】
0003121171.tif 000010
【図９】
0003121171.tif 000011
【図１０】
0003121171.tif 000012